(57)【要約】【課題】複数のスピーカの出力状態を、出力している音声の立体感を容易に把握可能な形態で、ユーザに視覚的に提示する「オーディオシステム」を提供する。【解決手段】スピーカ出力状態解析部３は、複数のチャネルのそれぞれについて、そのチャネルの各周波数帯域のレベル(音量)を算出し、最もレベルの大きい周波数帯域である優勢帯域と、優勢帯域のレベルとを出力する。スピーカ出力状態表示制御部４は、各チャネルの優勢帯域と優勢帯域のレベルを提示する出力状態提示画像を生成し、表示装置５に表示する。出力状態提示画像は、スピーカ６を表すスピーカ図形を、実際のスピーカ６の配置に従って配置したレイアウト図４０１上に、各チャネルの優勢帯域と優勢帯域レベルを提示するスピーカ出力状態提示図形４０２を表したものとする。【選択図】図４
2016127504.tif 000002
【特許請求の範囲】
【請求項１】
複数のチャネルの音声を出力するオーディオシステムであって、
各チャネルの音声をそれぞれ出力する複数のスピーカと、
各チャネルについて、当該チャネルの音声の予め定めた複数の帯域の各々のレベルに基づいて、レベルが最大である帯域を優勢帯域として、当該優勢帯域のレベルを優勢帯域レベルとして算出するチャネル音声解析手段と、
各チャネルについて、当該チャネルについて算出された優勢帯域と優勢帯域レベルとを表示するスピーカ出力状態表示手段とを有することを特徴とするオーディオシステム。
【請求項２】
請求項１記載のオーディオシステムであって、
前記スピーカ出力状態表示手段は、幅の違いでチャネルの優勢帯域を表し、長さ又は高さの違いでチャネルの優勢帯域レベルの大きさを表す図形であるスピーカ出力状態提示図形によって、前記チャネルの優勢帯域と優勢帯域レベルを表すことを特徴とするオーディオシステム。
【請求項３】
請求項１記載のオーディオシステムであって、
前記スピーカ出力状態表示手段は、色の属性の違いでチャネルの優勢帯域を表し、長さ又は高さでチャネルの優勢帯域レベルの大きさを表す図形であるスピーカ出力状態提示図形によって、前記チャネルの優勢帯域と優勢帯域レベルを表すことを特徴とするオーディオシステム。
【請求項４】
請求項２または３記載のオーディオシステムであって、
前記スピーカ出力状態表示手段は、前記複数のスピーカの配置を表した模式的に表したスピーカ配置図上に、前記各チャネルの優勢帯域と優勢帯域レベルを表すスピーカ出力状態提示図形を、当該スピーカ出力状態提示図形が優勢帯域と優勢帯域レベルを表すチャネルのスピーカの前記スピーカ配置図上の位置に関連づけて表した画像を表示することを特徴とするオーディオシステム。
【請求項５】
３以上のチャネルの音声を、当該３以上のチャネルの音声を模擬する２チャネルの音声に変換して出力するオーディオシステムであって、
前記３以上のチャネルの各チャネルについて、当該チャネルの音声の予め定めた複数の帯域の各々のレベルに基づいて、レベルが最大である帯域を優勢帯域として、当該優勢帯域のレベルを優勢帯域レベルとして算出するチャネル音声解析手段と、
前記３以上のチャネルの各チャネルについて、当該チャネルについて算出された優勢帯域と優勢帯域レベルとを表示するスピーカ出力状態表示手段とを有することを特徴とするオーディオシステム。
【請求項６】
請求項５記載のオーディオシステムであって、
前記スピーカ出力状態表示手段は、色の属性の違いでチャネルの優勢帯域を表し、長さ又は高さでチャネルの優勢帯域レベルの大きさを表す図形であるスピーカ出力状態提示図形によって、前記チャネルの優勢帯域と優勢帯域レベルを表すことを特徴とするオーディオシステム。
【請求項７】
請求項５記載のオーディオシステムであって、
前記スピーカ出力状態表示手段は、前記複数のスピーカの配置を表した模式的に表したスピーカ配置図上に、前記各チャネルの優勢帯域と優勢帯域レベルを表すスピーカ出力状態提示図形を、当該スピーカ出力状態提示図形が優勢帯域と優勢帯域レベルを表すチャネルのスピーカの前記スピーカ配置図上の位置に関連づけて表した画像を表示することを特徴とするオーディオシステム。
【請求項８】
請求項６または７記載のオーディオシステムであって、
前記スピーカ出力状態表示手段は、前記３以上のチャネルの各チャネルの各々に対応する仮想の３以上のスピーカの配置を表した模式的に表したスピーカ配置図上に、前記各チャネルの優勢帯域と優勢帯域レベルを表すスピーカ出力状態提示図形を、当該スピーカ出力状態提示図形が優勢帯域と優勢帯域レベルを表すチャネルに対応する仮想のスピーカの前記スピーカ配置図上の位置に関連づけて表した画像を表示することを特徴とするオーディオシステム。
【発明の詳細な説明】
【技術分野】
【０００１】
本発明は、複数のスピーカを備えたオーディオシステムにおいて、各スピーカの出力状態をユーザに提示する技術に関するものである。
【背景技術】
【０００２】
複数のスピーカを備えたオーディオシステムとしては、5.1chや7.1chや11.1chなどのマルチチャネルスピーカシステムを備えたオーディオシステムが知られている。
また、複数のスピーカを備えたオーディオシステムにおいて、各スピーカの出力状態をユーザに提示する技術としては、各スピーカの各帯域の出力レベルの組み合わせに応じて定まる色の画像を、スピーカの配置図上に表す技術が知られている（特許文献１）。
【先行技術文献】
【特許文献】
【０００３】
【特許文献１】国際公開第WO2006/100980号
【発明の概要】
【発明が解決しようとする課題】
【０００４】
上述した各スピーカの各帯域の出力レベルの組み合わせに応じて定まる色の画像を、音声のスピーカの配置図上に表す技術によれば、一つのスピーカの複数の帯域の出力レベルの組み合わせを一つの色で表すものであるため、一般のユーザが、この表示より、各スピーカがいかなる帯域の音声をいかなるレベルで出力しているのかの出力状態を直ちに理解することは困難である。
【０００５】
したがって、この技術では、オーディオシステムが複数のスピーカを用いて出力している音声の立体感を、容易に把握可能に、ユーザに視覚的に提示することができない。
一方で、各スピーカについて、それぞれ帯域毎に出力レベルを表示することも考えられるが、スピーカの出力状態の表示に用いることのできる表示スペースには限りがあるため、スピーカの数が多い場合などには、このような表示を、ユーザが各スピーカの出力状態を容易に把握できるように行うことは困難となる。
【０００６】
そこで、本発明は、複数のスピーカの出力状態を、出力している音声の立体感を容易に把握可能な形態で、ユーザに視覚的に提示することを課題とする。
【課題を解決するための手段】
【０００７】
前記課題達成のために、本発明は、複数のチャネルの音声を出力するオーディオシステムに、各チャネルの音声をそれぞれ出力する複数のスピーカと、各チャネルについて、当該チャネルの音声の予め定めた複数の帯域の各々のレベルに基づいて、レベルが最大である帯域を優勢帯域として、当該優勢帯域のレベルを優勢帯域レベルとして算出するチャネル音声解析手段と、各チャネルについて、当該チャネルについて算出された優勢帯域と優勢帯域レベルとを表示するスピーカ出力状態表示手段とを備えたものである。
【０００８】
ここで、このようなオーディオシステムは、前記スピーカ出力状態表示手段において、幅の違いでチャネルの優勢帯域を表し、長さ又は高さの違いでチャネルの優勢帯域レベルの大きさを表す図形であるスピーカ出力状態提示図形によって、前記チャネルの優勢帯域と優勢帯域レベルを表すように構成してもよい。
【０００９】
または、このようなオーディオシステムは、前記スピーカ出力状態表示手段において、色の属性の違いでチャネルの優勢帯域を表し、長さ又は高さでチャネルの優勢帯域レベルの大きさを表す図形であるスピーカ出力状態提示図形によって、前記チャネルの優勢帯域と優勢帯域レベルを表すように構成してもよい。
【００１０】
また、以上のように、スピーカ出力状態提示図形によって、前記チャネルの優勢帯域と優勢帯域レベルを表す場合には、オーディオシステムは、前記スピーカ出力状態表示手段において、前記複数のスピーカの配置を表した模式的に表したスピーカ配置図上に、前記各チャネルの優勢帯域と優勢帯域レベルを表すスピーカ出力状態提示図形を、当該スピーカ出力状態提示図形が優勢帯域と優勢帯域レベルを表すチャネルのスピーカの前記スピーカ配置図上の位置に関連づけて表した画像を表示するように構成してもよい。
【００１１】
以上のように、本発明に係るオーディオシステムによれば、各スピーカについて、そのスピーカが出力するチャネルの音声の、レベルが最大である帯域と当該帯域のレベルのみを表示する。よって、全ての帯域のレベルを表示する場合のように表示が煩雑となることはなく、ユーザは、表示内容を容易に認識することができる。
【００１２】
また、各スピーカが主にどの帯域を音声をどの程度のレベルで出力しているかを把握できれば、ユーザは、ある程度、オーディオシステムが出力している音声の立体感を視覚的に認識することができるので、本発明によれば、複数のスピーカの出力状態を、出力している音声の立体感を容易に把握可能な形態で、ユーザに視覚的に提示することができる。
【００１３】
ここで、以上の各オーディオシステムの構成は、３以上のチャネルの音声を、当該３以上のチャネルの音声を模擬する２チャネルの音声に変換して出力するオーディオシステムに、前記３以上のチャネルを、前記複数チャネルと見なして適用することもできる。
ただし、この場合に前記画像を表示する場合には、当該画像としては、前記３以上のチャネルの各チャネルの各々に対応する仮想の３以上のスピーカの配置を表した模式的に表したスピーカ配置図上に、前記各チャネルの優勢帯域と優勢帯域レベルを表すスピーカ出力状態提示図形を、当該スピーカ出力状態提示図形が優勢帯域と優勢帯域レベルを表すチャネルに対応する仮想のスピーカの前記スピーカ配置図上の位置に関連づけて表した画像を用いるようにする。
【発明の効果】
【００１４】
以上のように、本発明によれば、複数のスピーカの出力状態を、出力している音声の立体感を容易に把握可能な形態で、ユーザに視覚的に提示することができる。
【図面の簡単な説明】
【００１５】
【図１】本発明の実施形態に係るオーディオシステムの構成を示す図である。
【図２】本発明の実施形態に係るオーディオシステムのスピーカの配置を示すブロック図である。
【図３】本発明の実施形態に係るスピーカ出力状態解析部の構成を示すブロック図である。
【図４】本発明の実施形態に係るスピーカ出力状態の表示例を示す図である。
【図５】本発明の実施形態に係るスピーカ出力状態の表示に用いる図形を示す図である。
【図６】本発明の実施形態に係るスピーカ出力状態の表示に用いる図形の他の例を示す図である。
【図７】本発明の実施形態に係るオーディオシステムの他の構成例を示すブロック図である。
【図８】本発明の実施形態に係るスピーカ出力状態の他の表示例を示す図である。
【発明を実施するための形態】
【００１６】
以下、本発明の実施形態に係るオーディオシステムについて、自動車に搭載されるオーディオシステムへの適用を例にとり説明する。
図１に、本実施形態に係るオーディオシステムの構成を示す。
図示するように、オーディオシステムは、オーディオソース機器１、仮想マルチチャネル化処理部２、スピーカ出力状態解析部３、スピーカ出力状態表示制御部４、表示装置５、複数のスピーカ６を備えている。
ここで、オーディオシステムは、５.１ｃｈのオーディオ信号を、１５.１ｃｈのオーディオ信号として出力する仮想サラウンドシステムを構成しており、複数のスピーカ６として、図２に示すように、ＳＰ１からＳＰ１６の１６個のスピーカ６を備えている。
１６個のスピーカ６は、１１５.１ｃｈの６のチャネルのそれぞれに対応し、入力する各チャネルのオーディオ信号を出力する。なお、図２において、ＳＰ１は前席前方中央に配置され、中央チャネルのオーディオ信号を出力するセンタースピーカ、ＳＰ２は後席後方中央に配置され、超低音域チャネルのオーディオ信号を出力するサブウーハスピーカ、ＳＰ３は前席右上方に配置され、前右上チャネルのオーディオ信号を出力するスピーカ、ＳＰ４は前席右に配置され、前右チャネルのオーディオ信号を出力するツイータスピーカ、ＳＰ５は前席右に配置され、前右チャネルのオーディオ信号を出力するスピーカ、ＳＰ６は前席後席の間の右に配置され、サラウンド右チャネルのオーディオ信号を出力する右センタースピーカ、ＳＰ７は後席右に配置され、後右チャネルのオーディオ信号を出力するツイータスピーカ、ＳＰ８は後席右に配置され、後右チャネルのオーディオ信号を出力するスピーカ、ＳＰ９は後席右上方に配置され、後右上チャネルのオーディオ信号を出力するースピーカ、ＳＰ１０は前席左上方に配置され、前左上チャネルのオーディオ信号を出力するスピーカ、ＳＰ１１は前席左に配置され、前左チャネルのオーディオ信号を出力するツイータスピーカ、ＳＰ１２は前席左に配置され、前左チャネルのオーディオ信号を出力するスピーカ、ＳＰ１３は前席後席の間の左に配置され、サラウンド左チャネルのオーディオ信号を出力する左センタースピーカ、ＳＰ１４は後席左に配置され、後左チャネルのオーディオ信号を出力するツイータスピーカ、ＳＰ１５は後席左に配置され、後左チャネルのオーディオ信号を出力するスピーカ、ＳＰ１６は後席左上方に配置され、後左上チャネルのオーディオ信号を出力するースピーカである。
【００１７】
図１に戻り、オーディオソース機器１は、ＣＤ/ＤＶＤプレイヤなどの５.１ｃｈの６つのチャネルのオーディオ信号を出力する機器であり、仮想マルチチャネル化処理部２は５.１ｃｈの６つのオーディオ信号を１５.１ｃｈの１６個のチャネルのオーディオ信号に変換して、各チャネルのオーディオ信号を各チャネルに対応するスピーカ６に出力する。
【００１８】
そして、スピーカ出力状態解析部３は、１５.１ｃｈの１６個のチャネルのそれぞれについて、そのチャネルの各周波数帯域のレベル(音量)を算出し、最もレベルの大きい周波数帯域と、その周波数帯域のレベルを出力する。
また、スピーカ出力状態表示制御部４は、スピーカ出力状態解析部３から出力される１５.１ｃｈの１６のチャネルのそれぞれの最もレベルの大きい周波数帯域と、その周波数帯域のレベルを表示装置５に表示する。
より詳細には、スピーカ出力状態解析部３は、図３に示すように、１５.１ｃｈの１６個のチャネルのそれぞれに対応して設けられたスペクトル解析部３１を備え、各スペクトル解析部３１には対応するチャネルのオーディオ信号が入力する。
次に、スペクトル解析部３１の各々は、対応するチャネルのオーディオ信号の低域(たとえば、20Hzから200 Hz)成分を抽出する低域バンドパスフィルタ（低域BPF）３１１と、対応するチャネルのオーディオ信号の中域(たとえば、200Hzから4000Hz)成分を抽出する中域バンドパスフィルタ（中域BPF）３１２と、対応するチャネルのオーディオ信号の高域(たとえば、4000Hzから20000Hz)成分を抽出する高域バンドパスフィルタ（高域BPF）３１３と、抽出された低域成分のレベルを検出する低域レベル検出部３２１と、抽出された中域成分のレベルを検出する中域レベル検出部３２２と、抽出された高域成分のレベルを検出する高域レベル検出部３２３と、最大レベル帯域算定部３３０とを備えている。
【００１９】
そして、最大レベル帯域算定部３３０は、低域と中域と高域の帯域うちの、その帯域の成分について検出されたレベルが最大である帯域を算定し、算定した帯域を優勢帯域として、優勢帯域の識別と、優勢帯域の成分について検出されたレベルである優勢帯域レベルとをスピーカ出力状態表示制御部４に出力する。
【００２０】
次に、スピーカ出力状態表示制御部４は、スピーカ出力状態解析部３のスペクトル解析部３１の各々から出力される、１５.１ｃｈの１６個のチャネルの優勢帯域と優勢帯域レベルを提示する出力状態提示画像を生成し、表示装置５に表示する。
ここで、図４に、この出力状態提示画像の例を示す。
図示するように、出力状態提示画像は、スピーカ６を表すスピーカ図形を、図２に示したスピーカ６の配置に従って配置したレイアウト図４０１と、１６個のチャネルのそれぞれについて生成した、チャネルの優勢帯域と優勢帯域レベルを提示するスピーカ出力状態提示図形４０２とより構成される。
【００２１】
ここで、チャネルの優勢帯域と優勢帯域レベルを提示するスピーカ出力状態提示図形４０２について説明する。
図５ａは、優勢帯域が低域であるときに用いるスピーカ出力状態提示図形４０２を、図５ｂは優勢帯域が中域であるときに用いるスピーカ出力状態提示図形４０２を、図５ｃは優勢帯域が高域であるときに用いるスピーカ出力状態提示図形４０２を表している。
図示するように、スピーカ出力状態提示図形４０２は、上下方向を高さとする二等辺三角形を上下方向に複数個（図５ａ-ｃでは６個）に分割して得られる図形部分のうちの、下から優勢帯域レベルに比例した数の図形部分を配置して生成するものである。すなわち、各帯域の成分のレベルとして１から６のレベルを用いる場合には、図示するように、二等辺三角形を上下方向に６個の図形部分に分割し、優勢帯域レベルが６の場合には６個の図形部分の全てを配置した図形をスピーカ出力状態提示図形４０２とし、優勢帯域レベルが５の場合には下から５個の図形部分を配置した図形をスピーカ出力状態提示図形４０２とし、優勢帯域レベルが４の場合には下から４個の図形部分を配置した図形をスピーカ出力状態提示図形４０２とし、優勢帯域レベルが３の場合には下から３個の図形部分を配置した図形をスピーカ出力状態提示図形４０２とし、優勢帯域レベルが２の場合には下から２個の図形部分を配置した図形をスピーカ出力状態提示図形４０２とし、優勢帯域レベルが１の場合には最も下の図形部分のみを配置した図形をスピーカ出力状態提示図形４０２とする。
【００２２】
ここで、各スピーカ出力状態提示図形４０２において、各図形部分の表示色の色相は、スピーカ出力状態提示図形４０２中における、その図形部分の下から数えた順番に応じて青から赤に変化させる。すなわち、図示するように一番下の図形部分の表示色は青、下から二番目の図形部分の表示色は水色、下から３番目の図形部分の表示色は緑、下から４番目の図形部分の表示色は黄色、下から５番目の図形部分の表示色はオレンジ、一番上の図形部分の表示色は赤とする。
【００２３】
また、スピーカ出力状態提示図形４０２に用いる図形部分を分割する二等辺三角形の底辺の長さは、優勢帯域に応じて異ならせる。すなわち、優勢帯域が低域である場合にスピーカ出力状態提示図形４０２に用いる図形部分を分割する二等辺三角形の底辺の長さを大、優勢帯域が中域である場合にスピーカ出力状態提示図形４０２に用いる図形部分を分割する二等辺三角形の底辺の長さを中、優勢帯域が高域である場合にスピーカ出力状態提示図形４０２に用いる図形部分を分割する二等辺三角形の底辺の長さを小として、各図形部分、スピーカ出力状態提示図形４０２は生成する。
【００２４】
さて、図４に戻り、出力状態提示画像において、各チャネルのスピーカ出力状態提示図形４０２は、レイアウト図４０１上に、そのチャネルのオーディオ信号を出力するスピーカ６を表すスピーカ図形の前方（スピーカ図形が真のスピーカ６であるとした場合のスピーカ６の音声出力方向）の位置に、スピーカ図形の前方方向に、図５におけるスピーカ出力状態提示図形４０２の上方向を一致させて配置される。すなわち、各チャネルのスピーカ出力状態提示図形４０２が、そのチャネルのスピーカ６のスピーカ図形から出力されているようすを表すように出力状態提示画像は生成する。
【００２５】
ここで、このような出力状態提示画像において、スピーカ出力状態提示図形４０２同士が重なる場合には、自動車内の配置がより上方のスピーカ６のスピーカ出力状態提示図形４０２を、自動車内の配置がより下方のスピーカ６のスピーカ出力状態提示図形４０２の上に重ねて表示するようにする。
【００２６】
以上、本発明の実施形態について説明した。
以上のように、本実施形態によれば、各スピーカ６について、そのスピーカ６が出力する音声の、レベルが最大である帯域と当該帯域のレベルのみを表示する。よって、各スピーカ６について、全ての帯域のレベルを表示する場合のように表示が煩雑となることはなく、ユーザは、表示内容を容易に認識することができる。
【００２７】
また、各スピーカ６が主にどの帯域を音声をどの程度のレベルで出力しているかを把握できれば、ユーザは、ある程度、オーディオシステムが出力している音声の立体感を視覚的に認識することができる。したがって、本実施形態によれば、複数のスピーカ６の出力状態を、出力している音声の立体感を容易に把握可能な形態で、ユーザに視覚的に提示することができる。
【００２８】
ところで、以上の実施形態ではレベルを検出して優勢帯域とする帯域として低域と中域と高域の３つの帯域を用いたが、こては、２以上の任意数の帯域を用いるようにしてもよい。たとえば、低域と中低域と中域と高中域と高域とをレベルを検出して優勢帯域とする帯域として用いるようにすることもできる。
また、以上の実施形態におけるスピーカ出力状態提示図形４０２としては、図５に示した図形の他にも様々な図形を用いることができる。
【００２９】
たとえば、優勢帯域が低域であるときに用いるスピーカ出力状態提示図形４０２としては図５ａに示したスピーカ出力状態提示図形４０２を、優勢帯域が中域であるときに用いるスピーカ出力状態提示図形４０２としては図５ｂに示したスピーカ出力状態提示図形４０２を用いつつ、優勢帯域が高域であるときに用いるスピーカ出力状態提示図形４０２としては、図５ｃに示したスピーカ出力状態提示図形４０２に代えて、図６ａに示したスピーカ出力状態提示図形４０２を用いるようにしてもよい。
図６ａに示したスピーカ出力状態提示図形４０２と、図５ｃに示したスピーカ出力状態提示図形４０２との違いは、図５ｃが、底辺の長さが小の二等辺三角形を上下方向に６個に分割して得られる図形部分のうちの下から優勢帯域レベルに比例した数の図形部分を配置して生成しているのに対して、図６ａでは底辺の長さが小の二等辺三角形を上下方向に６個に分割して得られる図形部分のうちの上から優勢帯域レベルに比例した数の図形部分を配置して生成している点である。
【００３０】
すなわち、図６ａでは、優勢帯域レベルが６の場合には６個の図形部分の全てを配置した図形をスピーカ出力状態提示図形４０２とし、優勢帯域レベルが５の場合には上から５個の図形部分を配置した図形をスピーカ出力状態提示図形４０２とし、優勢帯域レベルが４の場合には上から４個の図形部分を配置した図形をスピーカ出力状態提示図形４０２とし、優勢帯域レベルが３の場合には上から３個の図形部分を配置した図形をスピーカ出力状態提示図形４０２とし、優勢帯域レベルが２の場合には上から２個の図形部分を配置した図形をスピーカ出力状態提示図形４０２とし、優勢帯域レベルが１の場合には最も上の図形部分のみを配置した図形をスピーカ出力状態提示図形４０２とする。なお、図６ａの場合も、各図形部分の表示色の色相は、スピーカ出力状態提示図形４０２中における、その図形部分の下から数えた順番に応じて青から赤に変化させる。
【００３１】
また、優勢帯域が低域、中域、高域であるときに用いるスピーカ出力状態提示図形４０２の形状としては、図５ｂに示したスピーカ出力状態提示図形４０２の形状を共通に用いつつ、スピーカ出力状態提示図形４０２の表示色の色属性を、優勢帯域に応じて変化させるようにしてもよい。すなわち、たとえば、低域、中域、高域であるときに用いるスピーカ出力状態提示図形４０２の色相は図５ｂの色相と同様としつつ、優勢帯域に応じて、スピーカ出力状態提示図形４０２の彩度や明度を変化させるようにしてもよい。
【００３２】
なお、優勢帯域に応じて、スピーカ出力状態提示図形４０２の彩度を変化させる場合には、優勢帯域が高域であるときスピーカ出力状態提示図形４０２の彩度を１００、優勢帯域が中域であるときスピーカ出力状態提示図形４０２の彩度を５０、優勢帯域が低域であるときスピーカ出力状態提示図形４０２の彩度を２５とするなど、高域、中域、低域の順に彩度が低下するようにする。
【００３３】
また、以上の実施形態における出力状態提示画像としては、図５ｂに示したスピーカ出力状態提示図形４０２を共通に用いつつ、図６ｂに示すようにスピーカ図形の表示色を、スピーカ図形が表すスピーカ６のチャネルの優勢帯域に応じて変化させるようにしてもよい。すなわち、図６ｂに示すように、対応するチャネルの優勢帯域が高域のスピーカ６のスピーカ図形は明るい色で表し、対応するチャネルの優勢帯域が中域のスピーカ６のスピーカ図形は中間明度の色で表し、対応するチャネルの優勢帯域が定域のスピーカ６のスピーカ図形は暗色で表すようにしてもよい。
【００３４】
ここで、以上の実施形態におけるスピーカ６の出力状態の提示の技術は、５.１ｃｈのオーディオ信号を、２ｃｈのオーディオ信号として出力する仮想サラウンドシステムを構成するオーディオシステムにも適用することができる。
図７に、このようなオーディオシステムの構成を示す。
図示するように、このオーディオシステムは、オーディオソース機器１、疑似マルチチャネル音声生成部７、スピーカ出力状態解析部３、スピーカ出力状態表示制御部４、表示装置５、ヘッドホン８を備えている。
このような構成において、疑似マルチチャネル音声生成部７は、オーディオソース機器１が出力する５.１ｃｈの６つのオーディオ信号を、５.１ｃｈのオーディオ出力を擬似的に体験できる左右２ｃｈのオーディオ信号に変換して、ヘッドホン８の左右のスピーカ６に出力する。
【００３５】
スピーカ出力状態解析部３は、オーディオソース機器１が出力する５.１ｃｈの６つのチャネルの各々について、レベルが最大である帯域を優勢帯域として、優勢帯域のレベルを優勢帯域レベルとしてスピーカ出力状態表示制御部４に出力する。そして、スピーカ出力状態表示制御部４は、図８のように、スピーカ６を表す６個のスピーカ図形を、５.１ｃｈのサラウンドシステムの標準的なスピーカ６の配置に従って配置したレイアウト図４０１上に、５.１ｃｈの６つのチャネルの優勢帯域と優勢帯域レベルを提示するスピーカ出力状態提示図形４０２を上述のように配置した出力状態提示画像を表示装置５に表示する。
また、以上の実施形態におけるスピーカ６の出力状態の提示の技術は、仮想の１５.１ｃｈのオーディオ信号を、２ｃｈのオーディオ信号として出力する仮想サラウンドシステムを構成するオーディオシステムにも適用することができる。この場合には、図１のスピーカ６を、仮想疑似マルチチャネル音声生成部７とヘッドホン８に置き換え、疑似マルチチャネル音声生成部７において、疑似マルチチャネル音声生成部７が出力する１５.１ｃｈの１６つのオーディオ信号を、１５.１ｃｈのオーディオ出力を擬似的に体験できる左右２ｃｈのオーディオ信号に変換して、ヘッドホン８の左右のスピーカ６に出力し、スピーカ出力状態表示制御部４において、スピーカ６を表す１６個のスピーカ図形を、１５.１ｃｈのサラウンドシステムの標準的なスピーカ６の配置に従って配置したレイアウト図４０１上に、１５.１ｃｈの１６つのチャネルの優勢帯域と優勢帯域レベルを提示するスピーカ出力状態提示図形４０２を上述のように配置した出力状態提示画像を表示装置５に表示するようにする。
【００３６】
なお、本実施形態は、オーディオソース機器１が出力する５.１ｃｈのオーディオ信号を、そのまま５.１ｃｈのオーディオ信号として６個のスピーカ６を用いて出力するサラウンドシステムを構成するオーディオシステムにも適用することができる。
すなわち、本実施形は、図７のオーディオシステムから、疑似マルチチャネル音声生成部７とヘッドホン８を排して、オーディオソース機器１が出力する５.１ｃｈの６つのチャネルにそれぞれ対応し、対応するチャネルのオーディオ信号が入力する６個のスピーカ６を備えたオーディオシステムにも適用することができる。
【００３７】
ここで、この場合には、スピーカ出力状態解析部３は、オーディオソース機器１が出力する５.１ｃｈの６つのチャネルについて、レベルが最大である帯域を優勢帯域として、優勢帯域のレベルを優勢帯域レベルとしてスピーカ出力状態表示制御部４に出力する。そして、スピーカ出力状態表示制御部４は、スピーカ６を表す６個のスピーカ図形を６個のスピーカ６の実際の配置に従って配置したレイアウト図４０１上に、５.１ｃｈの６つのチャネルの優勢帯域と優勢帯域レベルを提示するスピーカ出力状態提示図形４０２を上述のように配置した出力状態提示画像を表示装置５に表示する。
【符号の説明】
【００３８】
１…オーディオソース機器、２…仮想マルチチャネル化処理部、３…スピーカ出力状態解析部、４…スピーカ出力状態表示制御部、５…表示装置、６…スピーカ、７…疑似マルチチャネル音声生成部、８…ヘッドホン、３１…スペクトル解析部、３１１…低域バンドパスフィルタ、３１２…中域バンドパスフィルタ、３１３…高域バンドパスフィルタ、３２１…低域レベル検出部、３２２…中域レベル検出部、３２３…高域レベル検出部、３３０…最大レベル帯域算定部、４０１…レイアウト図、４０２…スピーカ出力状態提示図形。
【図１】
2016127504.tif 000003
【図２】
2016127504.tif 000004
【図３】
2016127504.tif 000005
【図４】
2016127504.tif 000006
【図５】
2016127504.tif 000007
【図６】
2016127504.tif 000008
【図７】
2016127504.tif 000009
【図８】
2016127504.tif 000010